(57)【要約】【課題】ユーザが必要とする地域に関する情報のみを適切に抽出して案内することを可能にした情報案内システム、情報案内方法及びコンピュータプログラムを提供する。【解決手段】任意の地域の地図画像３２をディスプレイ１８に表示し、ディスプレイ１８に地図画像が表示されている地域である表示対象地域に関連付けられたマスコットキャラクタ等のシンボルが存在する場合に、該シンボルの画像４２をディスプレイ１８に地図画像と併せて表示し、表示されたシンボルの画像４２がユーザによって操作された場合に、操作されたシンボルに関連付けられた表示対象地域に関する情報を案内するように構成する。【選択図】図７
2015228205.tif 000002
【特許請求の範囲】
【請求項１】
シンボルの存在する地域毎に該地域と該地域のシンボルとを関連付けたシンボル関連情報を取得する情報取得手段と、
任意の地域の地図画像を表示装置に表示する地図表示手段と、
前記表示装置に地図画像が表示されている地域である表示対象地域に関連付けられたシンボルが存在する場合に、該シンボルの画像を前記表示装置に前記地図画像と併せて表示するシンボル表示手段と、
前記シンボル表示手段により表示された前記シンボルの画像がユーザによって操作された場合に、操作された前記シンボルに関連付けられた前記表示対象地域に関する情報を案内する地域情報案内手段と、を有することを特徴とする情報案内システム。
【請求項２】
前記ユーザの操作又は前記ユーザの移動に伴って前記表示対象地域を変更する表示対象地域変更手段を有することを特徴とする請求項１に記載の情報案内システム。
【請求項３】
前記シンボル表示手段は、
いずれかの前記シンボルが関連付けられた前記表示対象地域が複数ある場合に、
最も狭い前記表示対象地域に関連付けられた前記シンボルの画像を表示することを特徴とする請求項１又は請求項２に記載の情報案内システム。
【請求項４】
前記シンボル表示手段は、
いずれかの前記シンボルが関連付けられた前記表示対象地域が複数ある場合に、
各表示対象地域に関連付けられた複数の前記シンボルの画像を切り替えて表示することを特徴とする請求項１又は請求項２に記載の情報案内システム。
【請求項５】
前記地域情報案内手段によって案内対象となる情報のジャンルを選択するジャンル選択手段を有し、
前記地域情報案内手段は、前記表示対象地域に関する情報の内、前記ジャンル選択手段によって選択されたジャンルの情報を案内することを特徴とする請求項１乃至請求項４のいずれかに記載の情報案内システム。
【請求項６】
前記地域情報案内手段は、
前記表示対象地域に関する情報の内、操作された前記シンボルと関連するイベント又は施設に関する情報を案内することを特徴とする請求項１乃至請求項５のいずれかに記載の情報案内システム。
【請求項７】
前記地域情報案内手段は、
前記表示対象地域内にある地点の案内を行い、
前記シンボル表示手段により表示された前記シンボルの画像が前記ユーザによって操作された場合に、案内対象となる前記地点の少なくとも一部を含むように前記表示装置に表示される地図画像を変更することを特徴とする請求項１乃至請求項６のいずれかに記載の情報案内システム。
【請求項８】
前記地域情報案内手段は、操作された前記シンボルと関連するイベント又は施設に関するインターネット上のリソースを前記表示装置に表示することによって、前記表示対象地域に関する情報を案内することを特徴とする請求項１乃至請求項４のいずれかに記載の情報案内システム。
【請求項９】
前記シンボル表示手段により表示された前記シンボルの画像がユーザによって操作された場合に、前記リソースの表示の開始を示唆する項目を前記表示装置に表示し、
前記地域情報案内手段は、前記項目が前記ユーザによって操作された場合に、前記リソースを表示することを特徴とする請求項８に記載の情報案内システム。
【請求項１０】
前記地域情報案内手段は、操作された前記シンボルと関連する施設の周辺地図画像を前記表示装置に表示することによって、前記表示対象地域に関する情報を案内することを特徴とする請求項１乃至請求項４のいずれかに記載の情報案内システム。
【請求項１１】
前記シンボル表示手段により表示された前記シンボルの画像がユーザによって操作された場合に、前記周辺地図画像の表示の開始を示唆する項目を前記表示装置に表示し、
前記地域情報案内手段は、前記項目が前記ユーザによって操作された場合に、前記周辺地図画像を表示することを特徴とする請求項１０に記載の情報案内システム。
【請求項１２】
前記地域情報案内手段は、操作された前記シンボルに関するアプリケーションソフトウェアを起動させることによって、前記表示対象地域に関する情報を案内することを特徴とする請求項１乃至請求項４のいずれかに記載の情報案内システム。
【請求項１３】
前記シンボル表示手段により表示された前記シンボルの画像がユーザによって操作された場合に、前記アプリケーションソフトウェアの起動の開始を示唆する項目を前記表示装置に表示し、
前記地域情報案内手段は、前記項目が前記ユーザによって操作された場合に、前記アプリケーションソフトウェアを起動させることを特徴とする請求項１２に記載の情報案内システム。
【請求項１４】
目的地までの経路を探索する経路探索手段を有し、
前記地域情報案内手段は、操作された前記シンボルと関連する施設を前記経路探索手段における目的地に設定することによって、前記表示対象地域に関する情報を案内することを特徴とする請求項１乃至請求項４のいずれかに記載の情報案内システム。
【請求項１５】
前記シンボル表示手段により表示された前記シンボルの画像がユーザによって操作された場合に、前記目的地の設定を示唆する項目を前記表示装置に表示し、
前記地域情報案内手段は、前記項目が前記ユーザによって操作された場合に、前記目的地の設定を行うことを特徴とする請求項１４に記載の情報案内システム。
【請求項１６】
前記表示装置に表示された地図画像に少なくとも一部が含まれる地域を前記表示対象地域とすることを特徴とする請求項１乃至請求項１５のいずれかに記載の情報案内システム。
【請求項１７】
前記表示装置に表示された地図画像の中心地点を含む地域を前記表示対象地域とすることを特徴とする請求項１６に記載の情報案内システム。
【請求項１８】
前記シンボルは、地域振興の為に用いられるマスコットキャラクタであって、前記シンボルが関連付けられた地域は該マスコットキャラクタによって地域振興が行われている地域であることを特徴とする請求項１乃至請求項１７のいずれかに記載の情報案内システム。
【請求項１９】
情報取得手段が、シンボルの存在する地域毎に、該地域と該地域のシンボルとを関連付けたシンボル関連情報を取得するステップと、
地図表示手段が、任意の地域の地図画像を表示装置に表示するステップと、
シンボル表示手段が、前記表示装置に地図画像が表示されている地域である表示対象地域に関連付けられたシンボルが存在する場合に、該シンボルの画像を前記表示装置に前記地図画像と併せて表示するステップと、
地域情報案内手段が、前記シンボル表示手段により表示された前記シンボルの画像がユーザによって操作された場合に、操作された前記シンボルに関連付けられた前記表示対象地域に関する情報を案内するステップと、を有することを特徴とする情報案内方法。
【請求項２０】
コンピュータを、
シンボルの存在する地域毎に、該地域と該地域のシンボルとを関連付けたシンボル関連情報を取得する情報取得手段と、
任意の地域の地図画像を表示装置に表示する地図表示手段と、
前記表示装置に地図画像が表示されている地域である表示対象地域に関連付けられたシンボルが存在する場合に、該シンボルの画像を前記表示装置に前記地図画像と併せて表示するシンボル表示手段と、
前記シンボル表示手段により表示された前記シンボルの画像がユーザによって操作された場合に、操作された前記シンボルに関連付けられた前記表示対象地域に関する情報を案内する地域情報案内手段と、
して機能させる為のコンピュータプログラム。
【発明の詳細な説明】
【技術分野】
【０００１】
本発明は、特定の地域に関する情報を案内する情報案内システム、情報案内方法及びコンピュータプログラムに関する。
【背景技術】
【０００２】
従来より、車載用のナビゲーション装置、携帯電話、スマートフォン、タブレット型端末、パーソナルコンピュータ等の各種情報端末（以下、ナビゲーション装置等という）では、地図画像や地点に関する情報を各種記憶デバイスに記憶するか、又はサーバ等からダウンロードすることにより取得し、利用者に対して提供することが可能である。また、地点に関する情報としては、例えば店舗や公共施設等に関する名称、位置、営業時間、利用料金等に関する情報を提供することが可能である。
【０００３】
また、上記地図画像や地点に関する情報をユーザに提供する場合には、ユーザに必要な情報のみを抽出して案内することが行われている。例えば特開２００９−２５６７５号公報には、ユーザの現在位置周辺の地図画像をディスプレイに表示するとともに、ユーザが所定の観光エリア内に位置する場合には、観光施設を示す観光施設アイコンを地図上に表示し、更に、観光施設までの距離や所要時間を案内することが記載されている。
【先行技術文献】
【特許文献】
【０００４】
【特許文献１】特開２００９−２５６７５号公報（第８−９頁、図９）
【発明の概要】
【発明が解決しようとする課題】
【０００５】
ここで、上記特許文献１に記載の技術では、ユーザが観光エリア内に進入すると、ユーザが希望しているか否かに関わらず該観光エリアの観光施設に関する情報が案内される。しかしながら。例えばユーザが他の目的地へ行く途中で観光エリアを通過のみする場合や、ユーザが観光エリア内に居住している場合等には、観光施設に関する情報をユーザは必要としない。特許文献１ではそのような場合においても一律に観光施設に関する情報が案内されるので、ユーザにとっては必要としない情報が提供される問題が生じていた。
【０００６】
本発明は前記従来における問題点を解消するためになされたものであり、ユーザが必要とする地域に関する情報のみを適切に抽出して案内することを可能にした情報案内システム、情報案内方法及びコンピュータプログラムを提供することを目的とする。
【課題を解決するための手段】
【０００７】
前記目的を達成するため本発明に係る情報案内システム（１）は、シンボルの存在する地域毎に、該地域と該地域のシンボルとを関連付けたシンボル関連情報を取得する情報取得手段（１１）と、任意の地域の地図画像（３２）を表示装置（１８）に表示する地図表示手段（１１）と、前記表示装置に地図画像が表示されている地域である表示対象地域に関連付けられたシンボルが存在する場合に、該シンボルの画像（４２、４３）を前記表示装置に前記地図画像と併せて表示するシンボル表示手段（１１）と、前記シンボル表示手段により表示された前記シンボルの画像がユーザによって操作された場合に、操作された前記シンボルに関連付けられた前記表示対象地域に関する情報を案内する地域情報案内手段（１１）と、を有することを特徴とする。
尚、「地域」とは、都道府県や市区町村等の行政区画に加えて、行政区画よりもより限定的な地域（例えば、商店街、町内）も含む。
また、「シンボル」は、上記地域において登録又は使用されているシンボル（例えば都道府県章、県の鳥、市の花等）の他、公認非公認を問わずに上記地域の地域振興（宣伝広告、特産品や観光のＰＲ等）に用いられるマスコットキャラクタ（ゆるキャラ（登録商標）やご当地キャラ（登録商標）等と称される）についても含む。
【０００８】
また、本発明に係る情報案内方法は、情報取得手段が、シンボルの存在する地域毎に、該地域と該地域のシンボルとを関連付けたシンボル関連情報を取得するステップと、地図表示手段が、任意の地域の地図画像（３２）を表示装置（１８）に表示するステップと、シンボル表示手段が、前記表示装置に地図画像が表示されている地域である表示対象地域に関連付けられたシンボルが存在する場合に、該シンボルの画像（４２、４３）を前記表示装置に前記地図画像と併せて表示するステップと、地域情報案内手段が、前記シンボル表示手段により表示された前記シンボルの画像がユーザによって操作された場合に、操作された前記シンボルに関連付けられた前記表示対象地域に関する情報を案内するステップと、を有することを特徴とする。
【０００９】
また、本発明に係るコンピュータプログラムは、コンピュータを、シンボルの存在する地域毎に、該地域と該地域のシンボルとを関連付けたシンボル関連情報を取得する情報取得手段と、任意の地域の地図画像（３２）を表示装置（１８）に表示する地図表示手段と、前記表示装置に地図画像が表示されている地域である表示対象地域に関連付けられたシンボルが存在する場合に、該シンボルの画像（４２、４３）を前記表示装置に前記地図画像と併せて表示するシンボル表示手段と、前記シンボル表示手段により表示された前記シンボルの画像がユーザによって操作された場合に、操作された前記シンボルに関連付けられた前記表示対象地域に関する情報を案内する地域情報案内手段と、して機能させることを特徴とする。
【発明の効果】
【００１０】
前記構成を有する本発明に係る情報案内システム、情報案内方法及びコンピュータプログラムによれば、表示装置に地図画像が表示される地域に何らかのシンボルが存在する場合に、該シンボルが地図画像とともに表示され、且つ表示されたシンボルが操作された場合に、操作されたシンボルと関連付けられた地域の情報を案内するので、ユーザが興味を持ったシンボルと関連する地域に関する情報のみを適切に抽出して案内することが可能となる。一方、ユーザが表示されたシンボルに興味が無い場合には、表示されたシンボルを操作しなければシンボルと関連する地域に関する情報は案内されないので、ユーザにとって必要のない情報が提供されることを防止できる。また、表示されたシンボルの画像を操作するという容易な操作でユーザの希望する情報を案内することができるので、ユーザに検索条件を入力させる等の複雑な作業を行わせる必要がなく、操作性についても向上させることが可能となる。
【図面の簡単な説明】
【００１１】
【図１】本実施形態に係る情報案内システムを示した概略構成図である。
【図２】情報管理センタのシンボル情報ＤＢに記憶されるシンボル関連情報の一例を示した図である。
【図３】情報管理センタのアクションリストＤＢに記憶されるアクションに関する情報の一例を示した図である。
【図４】本実施形態に係る通信端末の制御系を模式的に示すブロック図である。
【図５】本実施形態に係る地域情報案内処理プログラムのフローチャートである。
【図６】ディスプレイに表示されるナビゲーション画面を示した図である。
【図７】表示対象地域の特定方法について示した図である。
【図８】ディスプレイに表示されるシンボルの画像を示した図である。
【図９】ディスプレイに表示されるシンボルの画像の切替態様を示した図である。
【図１０】ディスプレイに表示されるアクション・ジャンル選択画面を示した図である。
【図１１】地域情報の案内態様の一例を示した図である。
【図１２】地域情報の案内態様の一例を示した図である。
【図１３】地域情報の案内態様の一例を示した図である。
【発明を実施するための形態】
【００１２】
以下、本発明に係る情報案内システムについて具体化した一実施形態に基づき図面を参照しつつ詳細に説明する。先ず、本実施形態に係る情報案内システム１の概略構成について図１及び図２を用いて説明する。図１は本実施形態に係る情報案内システム１を示した概略構成図である。図２は本実施形態に係る情報案内システム１の構成を示したブロック図である。
【００１３】
図１に示すように、本実施形態に係る情報案内システム１は、情報管理センタ２が有する情報サーバ３と、ユーザ４が所有する通信端末５とから基本的に構成されている。尚、通信端末５としては、車両に搭載された車載器としてのナビゲーション装置、携帯電話機、ＰＤＡ、タブレット型端末、スマートフォン等がある。また、ユーザ４は車両等の移動手段による移動中であっても良いし、移動していない状態であっても良い。また、情報管理センタ２と通信端末５とは通信ネットワーク網６を介して互いに電子データを送受信可能に構成されている。
【００１４】
ここで、情報サーバ３は、シンボルの存在する全国の地域毎に、該地域と該地域のシンボルとを関連付けたシンボル関連情報をシンボル情報ＤＢ７に記憶する。また、全国の地域毎に、地域内の施設や地域で開催されるイベント等に関する地域情報を地域情報ＤＢ８に記憶する。更に、全国の地域毎に、地域に関連して通信端末５に実行させることが可能なアクションの種類とアクションを実行する為に必要な情報（ＵＲＬ、ＵＲＬスキーム等）とをアクションリストＤＢ９に記憶する。そして、通信端末５の要求に応じてＤＢに記憶されたシンボル関連情報や地域情報やアクションに関する情報を提供するサーバ装置である。尚、「地域」とは都道府県や市区町村等の行政区画に加えて、行政区画よりもより限定的な地域（例えば、商店街、町内）も含む。また、「シンボル」は、上記地域において登録又は使用されているシンボル（例えば都道府県章、県の鳥、市の花等）の他、公認非公認を問わずに上記地域の地域振興（宣伝広告、特産品や観光のＰＲ等）に用いられるマスコットキャラクタ（ゆるキャラ（登録商標）やご当地キャラ（登録商標）等と称される）についても含む。
【００１５】
ここで、図２は情報サーバ３のシンボル情報ＤＢ７に記憶されるシンボル関連情報の一例について示した図である。図２に示すようにシンボル関連情報は、地域と、該地域に存在するシンボルの種類（シンボルに名称がある場合には名称を含む）と、シンボルの画像とが関連付けて記憶されている。例えば、Ａ県のシンボルとしてはＡ県の県章が関連付けて記憶され、Ａ県内のＢ市のシンボルとしてはＢ市の地域振興に用いられるマスコットキャラクタである『○○くん』が関連付けて記憶され、Ａ県内のＣ市のシンボルとしてはＣ市の花である『チューリップ』が関連付けて記憶され、Ａ県内のＤ市のシンボルとしてはＤ市の地域振興に用いられるマスコットキャラクタである『××ちゃん』が関連付けて記憶されている。尚、本実施形態では基本的に一の地域に対しては一のシンボルが関連付けられる。また、地域に対してシンボルが関連づけられている（シンボルに関連付けられた地域）とは、都道府県や市区町村等の行政区画に加えて、行政区画よりも限定的な地域（たとえば、商店街、町内）の範囲内をシンボルに関連する地域とすることであり、また、地域に対してシンボルが関連付けられている場合には、このシンボルに関連する地域の範囲内の情報を表示対象地域に関する情報とすることになる。
【００１６】
また、地域振興に用いられるマスコットキャラクタが存在する地域については、マスコットキャラクタを優先的にシンボルとして関連付けるように構成する。即ち、図２に示す例ではＡ県とＢ市については地域振興に用いられるマスコットキャラクタが存在しないので県章や市の花がシンボルとして関連付けられている。また、地域振興に用いられるマスコットキャラクタのみをシンボルとして関連付ける構成としても良い。その場合には、Ａ県とＢ市については地域振興に用いられるマスコットキャラクタが存在しないので、いずれのシンボルも関連付けられていない地域となる。
【００１７】
一方、情報サーバ３の地域情報ＤＢ８に記憶される地域情報は、全国各地の地域毎に区分して、該地域内に位置する施設、イベント、観光名所等に関する各種情報（名称、ジャンル、位置、営業時間、利用料金等）が記憶されている。また、特に地域に関連付けられているシンボルと関連する施設やイベント（例えば、シンボルに関連する商品を販売するショップ、シンボルがマスコットキャラクタである場合にはマスコットギャラクタが登場するイベント、公式キャラクタである場合には市役所等）については他の情報と識別して記憶される。
【００１８】
また、情報サーバ３のアクションリストＤＢ９には、全国各地の地域毎に設定された、地域に関連して通信端末５に実行させることが可能なアクションの種類と、アクションを実行する為に必要な情報とが記憶されている。ここで、本実施形態では地域に関連して通信端末５に実行させることが可能なアクションとして、“（Ａ）シンボルと関連するイベント又は施設に関するインターネット上のリソースの表示”、“（Ｂ）シンボルと関連する施設（例えば市役所やランドマーク）の周辺の地図画像の表示”、“（Ｃ）シンボルに関するアプリケーションソフトウェアの起動”、“（Ｄ）シンボルと関連する施設（例えば市役所やランドマーク）を経路探索機能における目的地へ設定”等がある。尚、シンボルに関するアプリケーションソフトウェアとは、例えばシンボルがキャラクタとして出現するアプリ等が該当する。
【００１９】
そして、アクションリストＤＢ９には、図３に示すように全国各地の地域毎に通信端末５に実行させることが可能なアクションの種類が規定され、更にアクション毎に、アクションの項目名と、アクションを実行する為に必要な情報（以下、アクションパラメータという）とが記憶されている。例えば、“（Ａ）シンボルと関連するイベント又は施設に関するインターネット上のリソースの表示”のアクションパラメータとしては、リソースを特定するＵＲＬ等が記憶されている。尚、上記（Ａ）〜（Ｄ）の全てアクションを地域毎に設定する必要はなく、地域によっては一部のアクションのみを設定したり、アクションを設定しない構成としても良い。また、時期によって設定するアクションの種類を変えても良い（例えば、市区町村でお祭りなどのイベントが行われている間のみ（Ａ）を追加する等）。また、アクションの項目名についてはアクションリストＤＢに含めず、通信端末５側で作成させたり、デフォルトの項目名を使用させる構成としても良い。
【００２０】
一方、通信端末５は、ＧＰＳ等の通信端末５の現在位置（即ちユーザ４の現在位置）を特定する為の機能やユーザ４の現在位置周辺又はユーザ４により指定された任意の地点の地図画像を表示する機能を備えた情報通信端末が用いられ、例えばナビゲーション装置、携帯電話機、ＰＤＡ、タブレット型端末、スマートフォン等が該当する。尚、ナビゲーション装置以外の通信端末５については特にナビゲーションアプリがインストールされている。例えば、ナビゲーションアプリは、通信端末５においてナビゲーション機能（以下、ナビ機能という）を実行するアプリケーションである。
【００２１】
また、通信端末５は、後述の送受信回路部（ＲＦ）１３を介して通信ネットワーク網６に接続され、情報管理センタ２と双方向通信可能に構成されている。そして、情報管理センタ２からシンボル関連情報を受信した場合には、後述のように受信したシンボル関連情報に基づいてシンボルの画像を通信端末５のディスプレイに表示する（図８参照）。また、情報管理センタ２から地域情報を受信した場合には、後述のように受信した地域情報を通信端末５のディスプレイに表示して案内を行う（図１３参照）。更に、表示されたシンボルの画像がユーザによって操作され、アクションが指定された場合には、指定されたアクションを行う。アクションとしては、インターネット状のリソースの表示、特定施設の周辺の地図画像の表示、アプリケーションソフトウェアの起動、経路探索機能における目的地の設定等がある。尚、通信端末５の詳細については後述する。
【００２２】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。
ここで、基地局は通信端末５との通信をするトランシーバー（送受信機）とアンテナを有する。そして、基地局は通信会社の間で無線通信を行う一方、通信ネットワーク網６の末端となり、基地局の電波が届く範囲（セル）にある通信端末５の通信を情報管理センタ２との間で中継する役割を持つ。
【００２３】
次に、ユーザ４が所有する通信端末５の概略構成について図４を用いて説明する。図４は本実施形態に係る通信端末５の制御系を模式的に示すブロック図である。尚、以下の例では通信端末５がスマートフォンである場合を例に挙げて説明する。
【００２４】
図４に示すように通信端末５はデータバスＢＵＳに、ＣＰＵ１１と、通信端末５を所持するユーザ４に関するユーザ情報（ユーザＩＤ、氏名等）や地図情報等が記憶されたメモリ１２と、通信ネットワーク網６の基地局との間で信号の送受信を行う送受信回路部（ＲＦ）１３と、送受信回路部１３において受信したＲＦ（Radio Frequency）信号をベースバンド信号に変換するとともにベースバンド信号をＲＦ信号に変換するベースバンド処理部１４と、マイクロホン１５及びスピーカ１６等とのインターフェイスである入出力部１７と、液晶表示パネル等で構成されたディスプレイ１８と、タッチパネルや操作ボタン等から構成される入力操作部１９と、ＧＰＳ２０とが接続されることにより構成されている。
【００２５】
ここで、通信端末５に内蔵されるＣＰＵ１１は、メモリ１２に格納されている動作プログラムに従って種々の動作を実行する通信端末５の制御手段であり、メモリ１２とともに通信端末ＥＣＵ２１を構成する。また、通信端末ＥＣＵ２１の各種処理内容は必要に応じてディスプレイ１８に表示される。尚、通信端末ＥＣＵ２１は、処理アルゴリズムとしての各種手段を構成する。例えば、情報取得手段は、シンボルの存在する地域毎に該地域と該地域のシンボルとを関連付けたシンボル関連情報を取得する。地図表示手段は、任意の地域の地図画像をディスプレイ１８に表示する。シンボル表示手段は、ディスプレイ１８に地図画像が表示されている地域である表示対象地域に関連付けられたシンボルが存在する場合に、該シンボルの画像をディスプレイ１８に地図画像と併せて表示する。地域情報案内手段は、表示されたシンボルの画像がユーザによって操作された場合に、操作されたシンボルに関連付けられた表示対象地域に関する情報を案内する。
【００２６】
また、メモリ１２は通信端末５を所持するユーザ４に関するユーザ情報（ユーザＩＤ、氏名等）や地図情報の他、情報サーバ３から取得した地域情報やアクションに関する情報、インストールされたナビゲーションアプリやシンボルに関するアプリ等のアプリケーションプログラム、後述の地域情報案内処理プログラム（図５）等が記憶された記憶媒体である。
【００２７】
ここで、メモリ１２に記憶される地図情報は、例えば、道路（リンク）に関するリンクデータ、ノード点に関するノードデータ、各交差点に関する交差点データ、施設に関する施設データ、地図を表示するための地図表示データ、経路を探索するための探索データ、地点を検索するための検索データ等からなる。尚、地図情報はメモリ１２に記憶せずに外部のサーバ（例えば情報管理センタ２）から通信により取得する構成としても良い。また、メモリ１２は、ハードディスク、メモリーカード、ＣＤやＤＶＤ等の光ディスク等により構成しても良い。
【００２８】
また、ディスプレイ１８は、筐体の一面に配設されており、液晶ディスプレイや有機ＥＬディスプレイ等が用いられる。そして、通信端末５にインストールされている各種アプリケーションを実行する為のトップ画面や、実行されたアプリケーションに係る画面（インターネット画面、メール画面、ナビゲーション画面等）や、画像、動画等の各種情報が表示される。特に、ナビゲーションアプリを実行した場合に表示されるナビゲーション画面では、道路を含む地図画像、交通情報、出発地から目的地までの案内経路（移動予定経路）、案内経路に沿った案内情報等についても表示される。更に本実施形態では、地図画像を表示する際に地図画像が表示されている地域に関連付けられたシンボルの画像についても表示される。更に、後述のように表示されたシンボルの画像がユーザにより操作された場合には、シンボルに関連付けられた地域に関する情報（施設やイベントの情報等）についても表示される。
【００２９】
また、入力操作部１９は、ディスプレイ１８の前面に設けられたタッチパネルによって構成されている。そして、通信端末ＥＣＵ２１は、タッチパネルの押下等により出力される電気信号に基づき、対応する各種の動作を実行すべく制御を行う。特に本実施形態では、各種アプリケーションプログラムの起動及び操作を行う際や、ディスプレイ１８に表示された地図画像のスクロールや縮尺変更を行う際、地図画像とともに表示されたシンボルの画像を操作する際等に用いられる。尚、入力操作部１９は、番号／文字入力キー、表示された内容を選択するためのカーソルを動かすカーソルキー、選択を確定する決定キー等の各種キー等により構成することもできる。
【００３０】
また、ＧＰＳ２０は、人工衛星によって発生させられた電波を受信することにより、通信端末５（即ちユーザ４）の現在位置及び現在時刻を検出可能とする。また、ＧＰＳ２０以外にも通信端末５の現在位置や方位を検出する為の他の装置（例えばジャイロセンサ等）を備える構成としても良い。
【００３１】
また、送受信回路部１３は通信ネットワーク網６を介して情報管理センタ２と通信可能に構成されている。そして、情報管理センタ２との間で、情報管理センタ２のＤＢに記憶されたシンボル関連情報や地域情報の要求を送信したり、要求に応じてＤＢから抽出されたシンボル関連情報や地域情報を受信するのに用いられる。また、図示しない外部の交通情報センタ（例えばＶＩＣＳ（登録商標）センタ）を介して、渋滞情報、規制情報、交通事故情報等の交通情報を取得することも可能である。
【００３２】
続いて、前記構成を有する情報案内システム１を構成する通信端末５において実行する地域情報案内処理プログラムについて図５に基づき説明する。図５は本実施形態に係る地域情報案内処理プログラムのフローチャートである。ここで、地域情報案内処理プログラムは通信端末５においてナビゲーションアプリが起動された後に実行され、ユーザの操作に応じてユーザが希望する地域に関する情報を提供するプログラムである。尚、以下の図５にフローチャートで示されるプログラムは、通信端末５が備えるメモリ１２等に記憶されており、ＣＰＵ１１により実行される。
【００３３】
先ず、地域情報案内処理プログラムではステップ（以下、Ｓと略記する）１において、ＣＰＵ１１は、ディスプレイ１８に対して任意のエリアの地図画像を含めたナビゲーション画面について表示する。
【００３４】
ここで、図６はディスプレイ１８に表示されるナビゲーション画面３１の一例について示した図である。図６に示すように、ナビゲーション画面３１には、ユーザ４周辺の地図画像３２と、ユーザ４の地図上に特定された現在位置を示す現在位置マーク３３が表示される。また、地点登録や経路探索を行う際等に操作される各種操作ボタン３４〜３６についても表示される。また、地図画像上には、施設の種類や位置を示すアイコンや交通情報等についても表示される。更に、通信端末５において目的地までの案内経路が設定されている場合には、地図画像上で案内経路に沿って描かれた案内経路線や、目的地の位置を示す目的地マークについても表示される。そして、ユーザはディスプレイ１８に表示されたナビゲーション画面３１を参照することによって、ユーザ周辺の道路形状や施設、目的地までの経路等を把握することが可能となる。
【００３５】
また、ナビゲーション画面３１において地図画像の表示対象となるエリアは、ユーザ４の操作やユーザ４の現在位置の移動に伴って変更可能に構成される。例えば、ユーザ４が移動すると、移動するユーザ４の位置に応じて地図画像の表示対象となるエリアが変化する。具体的には、ユーザ４の周辺の地図画像を表示する為に、ユーザ４の現在位置が常に地図画像の所定位置（例えば中心付近）に位置するように、地図画像をスクロールさせる。一方、ユーザ４が地図画像上でフリック操作やドラッグ操作を行うと、フリック方向やドラッグ方向へと地図画像がスクロールし、地図画像の表示対象となるエリアが変化する。更に、ユーザ４が地図画像上でピンチ操作（ピンチイン、ピンチアウト）を行うと、地図画像の縮尺が変更される。
【００３６】
次に、Ｓ２においてＣＰＵ１１は、情報管理センタ２の情報サーバ３からディスプレイ１８に地図画像が表示されている地域（以下、表示対象地域という）に対応する地域情報と、表示対象地域に関連して通信端末５に実行させることが可能なアクションに関するアクション情報とを取得する。ここで、表示対象地域は、ディスプレイ１８に表示された地図画像に少なくとも一部が含まれる地域、より具体的には表示された地図画像の中心地点を含む地域とする。尚、表示対象地域として特定される地域は、都道府県や市区町村等の行政区画に加えて、行政区画よりもより限定的な地域（例えば、商店街、町内）も含む。従って、複数の地域が表示対象地域に該当する場合がある。
【００３７】
例えば、図７に示すように通信端末５において地図画像の表示対象となるエリア４１が位置する場合には、地図画像の中心地点Ｘを含む地域が表示対象地域として特定される。即ち、図７に示す例ではＡ県とＤ市がそれぞれ表示対象地域として特定されることとなる。尚、地図画像の中心地点Ｘを含む地域の内、最も狭い地域のみを表示対象地域として特定する構成としても良い。
【００３８】
ここで、地域情報は、全国の地域毎に、該地域内に位置する施設、イベント、観光名所等に関する各種情報（名称、ジャンル、位置、営業時間、利用料金等）を関連付けた情報である。一方、アクション情報は、全国の地域毎に、該地域に関連して通信端末５に実行させることが可能なアクションの種類と、アクションを実行する為に必要な情報であるアクションパラメータを関連付けた情報である（図３参照）。
【００３９】
次に、Ｓ３においてＣＰＵ１１は、表示対象地域に関連付けられたシンボルが少なくとも１以上存在するか否か判定する。ここで、表示対象地域として特定された地域に関連付けられたシンボルが存在するか否かについては、例えば情報管理センタ２から取得したシンボル関連情報（図２）に基づいて判定しても良いし、シンボルが関連付けられた地域といずれのシンボルも関連付けられていない地域とを識別する情報を予め通信端末５に持たせ、該識別情報に基づいて判定する構成としても良い。
【００４０】
また、前記Ｓ３では判定対象となるシンボルを特定種類のシンボルに限定する構成としても良い。例えば、表示対象領域に対して地域振興に用いられるマスコットキャラクタが関連付けられているか否かを判定しても良い。
【００４１】
そして、表示対象地域に関連付けられたシンボルが少なくとも１以上存在すると判定された場合（Ｓ３：ＹＥＳ）には、Ｓ４へと移行する。それに対して、表示対象地域に関連付けられたシンボルが存在しないと判定された場合（Ｓ３：ＮＯ）にはＳ６へと移行する。
【００４２】
Ｓ４においてＣＰＵ１１は、情報管理センタ２の情報サーバ３からシンボル関連情報を取得する。ここで、シンボル関連情報は、図２に示すようにシンボルの存在する全国の地域毎に、該地域と該地域のシンボルとを関連付けた情報である。また、シンボル関連情報には、シンボルの種類（シンボルに名称がある場合には名称を含む）とシンボルの画像に関する情報についても含まれる。尚、前記Ｓ４で取得対象とするシンボル関連情報は、全国各地域のシンボル関連情報としても良いし、表示対象地域に関するシンボル関連情報のみを抽出して取得する構成としても良い。
【００４３】
続いて、Ｓ５においてＣＰＵ１１は、前記Ｓ４で情報サーバ３から取得したシンボル関連情報に基づいて、表示対象地域に関連付けられたシンボルの画像を地図画像と併せてディスプレイ１８に表示する。その後、Ｓ７へと移行する。尚、シンボルが関連付けられた表示対象地域が複数ある場合には、基本的に最も狭い表示対象地域に関連付けられたシンボルの画像を表示する。例えば、図７に示すようにＡ県とＤ市がそれぞれ表示対象地域として特定される場合であって、Ａ県とＤ市にそれぞれシンボルが関連付けられている場合には、Ｄ市に関連付けられたシンボルが表示対象となる。
【００４４】
ここで、図８は前記Ｓ４においてシンボルの画像が表示された後のナビゲーション画面３１の一例について示した図である。図８に示すように、ナビゲーション画面３１には、地図画像３２に加えて表示対象領域に関連付けられたシンボルの画像４２が表示される。尚、シンボルの画像４２は、地図画像３２の視認を妨げない位置（例えば左下隅）に対して、地図画像３２と重畳して表示される。
【００４５】
尚、シンボルが関連付けられた表示対象地域が複数ある場合には、各表示対象地域に関連付けられた複数のシンボルの画像を切り替えて表示する構成としても良い。例えばディスプレイ１８に表示されたシンボルの画像をフリック操作する度に、シンボルの画像を切り替える構成とする。具体的に、Ａ県とＤ市がそれぞれ表示対象地域として特定され、且つＡ県とＤ市にそれぞれシンボルが関連付けられている場合には、図９に示すように先ずＤ市に関連付けられたシンボルの画像４２が表示されるが、その後にユーザがシンボルの画像４２をフリック操作すると、Ｄ市に関連付けられたシンボルの画像４２からＡ県に関連付けられたシンボルの画像４３へと切り替わる。
【００４６】
一方、Ｓ６においてＣＰＵ１１は、表示対象地域に関連付けられたシンボルが存在しないことから、シンボルの代わりにアイコンの画像を地図画像と併せてディスプレイ１８に表示する。その後、Ｓ７へと移行する。尚、アイコンとしては例えば“観光情報”と表示されたボタンのアイコンとする。
【００４７】
次に、Ｓ７においてＣＰＵ１１は、入力操作部１９から送信される信号に基づいて、前記Ｓ５（又はＳ６）でディスプレイ１８に表示されたシンボルの画像（又はアイコンの画像）に対するユーザの操作を受け付けたか否かを判定する。具体的には、シンボルの画像（又はアイコンの画像）をタッチするタッチ操作を受け付けたか否かを判定する。尚、タッチ操作以外の操作（例えば、１秒以上の継続したタッチ操作、フリック操作、ドラッグ操作）を受け付けたか否かを判定する構成としても良い。
【００４８】
そして、前記Ｓ５（又はＳ６）でディスプレイ１８に表示されたシンボルの画像（又はアイコンの画像）に対するユーザの操作を受け付けたと判定された場合（Ｓ７：ＹＥＳ）には、Ｓ８へと移行する。それに対して、前記Ｓ５（又はＳ６）でディスプレイ１８に表示されたシンボルの画像（又はアイコンの画像）に対するユーザの操作を受け付けていないと判定された場合（Ｓ７：ＮＯ）にはＳ１へと戻り、地図画像やシンボルの画像（又はアイコンの画像）の表示を継続して行う。
【００４９】
Ｓ８においてＣＰＵ１１は、ディスプレイ１８に対して表示するアクション項目及びジャンル項目のリストを作成する。ここで、アクション項目は前記Ｓ２で取得したアクション情報に基づいて作成される。尚、アクション情報には図３に示すように表示対象地域に実行させることが可能なアクションの種類毎に項目名が予め決められている。例えば、表示対象地域が「Ａ県Ｂ市」であった場合には、『Ｂ市役所へ行く』、『Ｂ市役所を表示』、『○○君とあそぶ』、『○○君に会う』の４つの項目がアクション項目として作成される。尚、項目名がアクション情報に規定されていない場合には、通信端末５側で予め決められたパターンに従って作成させても良いし、デフォルトの項目名を使用させる構成としても良い。一方、ジャンル項目については、前記Ｓ２で取得した全ての地域情報が区分されるジャンルの項目名が作成される。例えば『全て』、『観光スポット』、『寺社仏閣』、『食べる』等がある。
【００５０】
Ｓ９においてＣＰＵ１１は、ディスプレイ１８に対して前記Ｓ８で作成されたアクション項目及びジャンル項目のリストからなるアクション・ジャンル選択画面を表示する。ここで、アクション・ジャンル選択画面は、ユーザに実行させることが可能なアクションと案内対象となる情報のジャンルを選択する画面である。図１０に示すアクション・ジャンル選択画面４５では、選択可能なアクション項目として、各アクションを示唆する『Ｄ市役所へ行く』、『Ｄ市役所を表示』、『××ちゃんとあそぶ』、『××ちゃんに会う』が表示される。また、選択可能なジャンル項目として『全て』、『観光スポット』、『寺社仏閣』、『食べる』が表示される。そして、いずれかのアクション項目が選択された場合には、後述するように選択されたアクション項目に対応するアクションを実行する。一方、いずれかのジャンル項目が選択された場合には、後述するように選択されたジャンル項目に該当する情報を案内する。具体的には、『全て』が選択された場合には、後述するようにユーザに操作されたシンボル（又はアイコン）に関連付けられた表示対象地域に関する情報をジャンルに関わらず、全て案内対象とする。また、『観光スポット』が選択された場合には、後述するようにユーザに操作されたシンボル（又はアイコン）に関連付けられた表示対象地域に関する情報の内、特に観光スポット（例えば、ランドマーク等）に関する情報のみを案内対象とする。また、『寺社仏閣』が選択された場合には、後述するようにユーザに操作されたシンボル（又はアイコン）に関連付けられた表示対象地域に関する情報の内、寺社仏閣に関する情報のみを案内対象とする。また、『食べる』が選択された場合には、後述するようにユーザに操作されたシンボル（又はアイコン）に関連付けられた表示対象地域に関する情報の内、飲食可能な施設に関する情報のみを案内対象とする。
【００５１】
次に、Ｓ１０においてＣＰＵ１１は、入力操作部１９から送信される信号に基づいて、前記Ｓ７でディスプレイ１８に表示されたアクション・ジャンル選択画面においていずれかのジャンル項目を選択するユーザの操作を受け付けたか否かを判定する。
【００５２】
そして、ディスプレイ１８に表示されたアクション・ジャンル選択画面においていずれかのジャンル項目を選択するユーザの操作を受け付けたと判定された場合（Ｓ１０：ＹＥＳ）には、Ｓ１１へと移行する。それに対して、ディスプレイ１８に表示されたアクション・ジャンル選択画面においていずれのジャンル項目を選択するユーザの操作を受け付けていないと判定された場合（Ｓ１０：ＮＯ）には、Ｓ１２へと移行する。
【００５３】
Ｓ１１においてＣＰＵ１１は、前記Ｓ２で取得したユーザに操作されたシンボル（又はアイコン）に関連付けられた表示対象地域に関する地域情報の内、特にユーザに選択されたジャンルの情報を案内する。尚、情報の案内態様としては、例えば図１１に示すように、ディスプレイ１８に対して該当する施設、イベントに関する各種情報（名称、ジャンル、位置、営業時間、利用料金等）をリスト状に表示した情報リスト４６を新たに表示する構成としても良いし、図１２に示すようにディスプレイ１８に表示された地図画像３２に重畳して該当する施設やイベントの位置を示す地点マーク５０〜５３を表示するように構成しても良い。尚、地点マーク５０〜５３は、地図画像３２上の該当する施設やイベントが開催される地点に対して表示される。そして、地点マーク５０〜５３を表示した場合には、図１３に示すようにユーザが表示された地点マーク５０〜５３のいずれかを選択することによって、選択された地点マーク５０〜５３に対応する施設やイベントに関する詳細な情報（名称、ジャンル、位置、営業時間、利用料金等）を表示した情報ウィンドウ５４が新たに表示される。その結果、ユーザは選択したシンボル（又はアイコン）に関連する地域に関する情報を取得することが可能となる。
【００５４】
尚、図１２に示すような地点マーク５０〜５３を表示する構成では、図１０に示すアクション・ジャンル選択画面４５においていずれかのジャンルが選択された後に、案内対象となる施設やイベントが開催される地点の少なくとも一部を含むように地図画像の表示対象となるエリアを変更する。尚、地図画像の縮尺についても変更するように構成しても良い。例えば、案内対象となる施設やイベントが開催される地点を所定数以上（例えば３個以上）含むように地図画像の表示対象となるエリアを変更する。
【００５５】
また、前記Ｓ１１で案内対象とする情報は、表示対象地域に関する情報の内、ユーザによって操作されたシンボルと関連するイベント又は施設に関する情報（例えば、シンボルに関連する商品を販売するショップ、シンボルがマスコットキャラクタである場合にはマスコットギャラクタが登場するイベント、公式キャラクタである場合には市役所等）のみに限定しても良い。この場合、表示対象地域に関する情報であっても、ユーザによって操作されたシンボルと関連しないイベント又は施設の情報は案内対象の情報とされない。
【００５６】
一方、Ｓ１２においてＣＰＵ１１は、入力操作部１９から送信される信号に基づいて、前記Ｓ７でディスプレイ１８に表示されたアクション・ジャンル選択画面においていずれかのアクション項目を選択するユーザの操作を受け付けたか否かを判定する。
【００５７】
そして、ディスプレイ１８に表示されたアクション・ジャンル選択画面においていずれかのアクション項目を選択するユーザの操作を受け付けたと判定された場合（Ｓ１２：ＹＥＳ）には、Ｓ１３へと移行する。それに対して、ディスプレイ１８に表示されたアクション・ジャンル選択画面においていずれのアクション項目を選択するユーザの操作も受け付けていないと判定された場合（Ｓ１２：ＮＯ）にはＳ１０へと戻り、いずれかのアクション項目が選択されるまで待機する。
【００５８】
Ｓ１３においてＣＰＵ１１は、選択されたアクション項目に対応するアクションを実行する。例えば、“（Ａ）シンボルと関連するイベント又は施設に関するインターネット上のリソースの表示”を示唆するアクション項目（例えば図１０に示す例では『Ｄ市役所へ行く』）が選択された場合には、シンボルと関連するイベント又は施設に関するインターネット上のリソースをディスプレイ１８に表示する。その結果、例えば施設において割引のクーポンが発行されている場合において、クーポンを容易に取得することが可能となる。
【００５９】
また、“（Ｂ）シンボルと関連する施設の周辺の地図画像の表示”を示唆するアクション項目（例えば図１０に示す例では『Ｄ市役所を表示』）が選択された場合には、シンボルと関連する施設の周辺地図画像をディスプレイ１８に表示する。尚、その際に地図画像中におけるシンボルと関連する施設の位置には、該位置が識別可能なようにピンを立てるように構成する。
【００６０】
また、“（Ｃ）シンボルに関するアプリケーションソフトウェアの起動”を示唆するアクション項目（例えば図１０に示す例では『××ちゃんと遊ぶ』）が選択された場合には、シンボルに関するアプリケーションソフトウェアを起動させる。尚、アプリケーションソフトウェアのダウンロードが必要な場合にはダウンロードについても併せて行うように構成しても良い。
【００６１】
また、“（Ｄ）シンボルと関連する施設を経路探索機能における目的地へ設定”を示唆するアクション項目（例えば図１０に示す例では『××ちゃんに会う』）が選択された場合には、シンボルと関連する施設を経路探索機能における目的地に設定する。尚、目的地の設定では、通信端末５自体がナビ機能を有する場合には通信端末５の目的地として設定することも可能であるし、通信端末５と通信可能に接続されたナビゲーション装置に目的地として送信することも可能である。
【００６２】
そして、ユーザは各アクション項目を選択することによって、周辺地図やシンボルと関連するイベント又は施設に関する情報を取得することが可能となる。更に、シンボルに関連するアプリを実行することや、シンボルと関連する施設までの経路についても取得することが可能となる。
【００６３】
以上詳細に説明した通り、本実施形態に係る情報案内システム１、情報案内システム１による情報案内方法及び情報案内システム１において実行されるコンピュータプログラムでは、任意の地域の地図画像３２をディスプレイ１８に表示し（Ｓ１）、ディスプレイ１８に地図画像が表示されている地域である表示対象地域に関連付けられたマスコットキャラクタ等のシンボルが存在する場合に、該シンボルの画像４２をディスプレイ１８に地図画像と併せて表示し（Ｓ９）、表示されたシンボルの画像４２がユーザによって操作された場合に、操作されたシンボルに関連付けられた表示対象地域に関する情報を案内する（Ｓ１１、Ｓ１３）ので、ユーザが興味を持ったシンボルと関連する地域に関する情報のみを適切に抽出して案内することが可能となる。一方、ユーザが表示されたシンボルに興味が無い場合には、シンボルを操作しなければシンボルと関連する地域に関する情報は案内されないので、ユーザにとって必要のない情報が提供されることを防止できる。また、表示されたシンボルの画像４２を操作するという容易な操作でユーザの希望する情報を案内することができるので、ユーザに検索条件を入力させる等の複雑な作業を行わせる必要がなく、操作性についても向上させることが可能となる。
【００６４】
尚、本発明は前記実施形態に限定されるものではなく、本発明の要旨を逸脱しない範囲内で種々の改良、変形が可能であることは勿論である。
例えば、本実施形態では地域情報案内処理プログラム（図５）のＳ１〜Ｓ１３の処理を通信端末５が実行する構成としているが、情報サーバ３が一部または全部の処理を実行する構成としても良い。
【００６５】
また、本実施形態では、ディスプレイ１８に表示された地図画像の中心地点を含む地域を表示対象地域に特定する構成としているが、中心地点以外の地点を基準に表示対象地域を特定する構成としても良い。また、ディスプレイ１８に表示された地図画像に少なくとも一部が含まれる地域を表示対象地域に特定しても良い。更に、ディスプレイ１８に表示された地図画像の全てが含まれる地域を表示対象地域に特定しても良い。
【００６６】
また、本実施形態では、基本的に一の地域に対しては一のシンボルを関連付けるように構成しているが、一の地域に対して複数のシンボルを関連付けるように構成しても良い。その場合には、前記Ｓ４において関連付けられた複数のシンボルの画像を同時に全て表示しても良いし、一部のシンボルの画像のみを表示するように構成しても良い。また、一部のシンボルの画像のみを表示する場合には、ユーザの操作や経過時間に基づいてシンボルの画像を切り替え可能に構成することが望ましい。
【００６７】
また、本実施形態では情報案内システム１を通信端末５と情報管理センタ２（情報サーバ３）から構成することとしているが、通信端末５のみで構成することも可能である。その場合には、シンボル関連情報の記憶されたシンボル情報ＤＢ７や地域情報の記憶された地域情報ＤＢ８を通信端末５が有し、前記Ｓ３やＳ９ではＤＢからシンボル関連情報や地域情報を読み出して取得するように構成する。
【００６８】
また、本発明に係る情報案内システムを具体化した実施例について上記に説明したが、情報案内システムは以下の構成を有することも可能であり、その場合には以下の効果を奏する。
【００６９】
例えば、第１の構成は以下のとおりである。
シンボルの存在する地域毎に該地域と該地域のシンボルとを関連付けたシンボル関連情報を取得する情報取得手段と、任意の地域の地図画像を表示装置に表示する地図表示手段と、前記表示装置に地図画像が表示されている地域である表示対象地域に関連付けられたシンボルが存在する場合に、該シンボルの画像を前記表示装置に前記地図画像と併せて表示するシンボル表示手段と、前記シンボル表示手段により表示された前記シンボルの画像がユーザによって操作された場合に、操作された前記シンボルに関連付けられた前記表示対象地域に関する情報を案内する地域情報案内手段と、を有することを特徴とする。
上記構成を有する情報案内システムによれば、表示装置に地図画像が表示される地域に何らかのシンボルが存在する場合に、該シンボルが地図画像とともに表示され、且つ表示されたシンボルが操作された場合に、操作されたシンボルと関連付けられた地域の情報を案内するので、ユーザが興味を持ったシンボルと関連する地域に関する情報のみを適切に抽出して案内することが可能となる。一方、ユーザが表示されたシンボルに興味が無い場合には、表示されたシンボルを操作しなければシンボルと関連する地域に関する情報は案内されないので、ユーザにとって必要のない情報が提供されることを防止できる。また、表示されたシンボルの画像を操作するという容易な操作でユーザの希望する情報を案内することができるので、ユーザに検索条件を入力させる等の複雑な作業を行わせる必要がなく、操作性についても向上させることが可能となる。
【００７０】
また、第２の構成は以下のとおりである。
前記ユーザの操作又は前記ユーザの移動に伴って前記表示対象地域を変更する表示対象地域変更手段を有することを特徴とする。
上記構成を有する情報案内システムによれば、ユーザの操作やユーザの移動に伴って複数のシンボルを切り替えて表示させることが可能であり、表示されたシンボルの中からユーザが興味のあるシンボルを適宜選択させることが可能となる。
【００７１】
また、第３の構成は以下のとおりである。
前記シンボル表示手段は、いずれかの前記シンボルが関連付けられた前記表示対象地域が複数ある場合に、最も狭い前記表示対象地域に関連付けられた前記シンボルの画像を表示することを特徴とする。
上記構成を有する情報案内システムによれば、案内対象となる表示対象地域が複数ある場合に、より狭い表示対象地域の情報を案内対象とするので、案内対象となる情報量が多すぎることなく、ユーザの希望する情報をより選別して案内することが可能となる。
【００７２】
また、第４の構成は以下のとおりである。
前記シンボル表示手段は、いずれかの前記シンボルが関連付けられた前記表示対象地域が複数ある場合に、各表示対象地域に関連付けられた複数の前記シンボルの画像を切り替えて表示することを特徴とする。
上記構成を有する情報案内システムによれば、案内対象となる表示対象地域が複数ある場合に、ユーザにより選択された表示対象地域の情報を案内対象とするので、案内対象となる情報量が多すぎることなく、ユーザの希望する情報をより選別して案内することが可能となる。
【００７３】
また、第５の構成は以下のとおりである。
前記地域情報案内手段によって案内対象となる情報のジャンルを選択するジャンル選択手段を有し、前記地域情報案内手段は、前記表示対象地域に関する情報の内、前記ジャンル選択手段によって選択されたジャンルの情報を案内することを特徴とする。
上記構成を有する情報案内システムによれば、特にユーザによって選択されたジャンルの情報を案内対象とするので、案内対象となる情報量が多すぎることなく、ユーザの希望するジャンルの情報を選別して案内することが可能となる。
【００７４】
また、第６の構成は以下のとおりである。
前記地域情報案内手段は、前記表示対象地域に関する情報の内、操作された前記シンボルと関連するイベント又は施設に関する情報を案内することを特徴とする。
上記構成を有する情報案内システムによれば、特にユーザによって操作されたシンボルと関連の高い情報を案内対象とするので、ユーザが表示されたシンボルに興味を持った場合に、該シンボルと関連の高い情報（例えばシンボルと関連する商品が購入できる店舗や、シンボルを見ることができるイベント等）を選別して案内することが可能となる。
【００７５】
また、第７の構成は以下のとおりである。
前記地域情報案内手段は、前記表示対象地域内にある地点の案内を行い、前記シンボル表示手段により表示された前記シンボルの画像が前記ユーザによって操作された場合に、案内対象となる前記地点の少なくとも一部を含むように前記表示装置に表示される地図画像を変更することを特徴とする。
上記構成を有する情報案内システムによれば、表示装置に表示される地図画像を変更することによって、案内対象となる地点が複数ある場合であっても該地点を地図画像上で適切に案内することが可能となる。
【００７６】
また、第８の構成は以下のとおりである。
前記地域情報案内手段は、操作された前記シンボルと関連するイベント又は施設に関するインターネット上のリソースを前記表示装置に表示することによって、前記表示対象地域に関する情報を案内することを特徴とする。
上記構成を有する情報案内システムによれば、表示されたシンボルを操作することによって、操作されたシンボルと関連するイベント又は施設に関するインターネット上のリソースを表示装置に表示することが可能となる。従って、シンボルに関連するユーザの希望するアクションを容易な操作によって実現することが可能となる。
【００７７】
また、第９の構成は以下のとおりである。
前記シンボル表示手段により表示された前記シンボルの画像がユーザによって操作された場合に、前記リソースの表示の開始を示唆する項目を前記表示装置に表示し、前記地域情報案内手段は、前記項目が前記ユーザによって操作された場合に、前記リソースを表示することを特徴とする。
上記構成を有する情報案内システムによれば、表示されたシンボルを操作し、且つその後に表示された項目を操作することによって、操作されたシンボルと関連するイベント又は施設に関するインターネット上のリソースを表示装置に表示することが可能となる。
【００７８】
また、第１０の構成は以下のとおりである。
前記地域情報案内手段は、操作された前記シンボルと関連する施設の周辺地図画像を前記表示装置に表示することによって、前記表示対象地域に関する情報を案内することを特徴とする。
上記構成を有する情報案内システムによれば、表示されたシンボルを操作することによって、操作されたシンボルと関連する施設の周辺地図画像を表示装置に表示することが可能となる。従って、シンボルに関連するユーザの希望するアクションを容易な操作によって実現することが可能となる。
【００７９】
また、第１１の構成は以下のとおりである。
前記シンボル表示手段により表示された前記シンボルの画像がユーザによって操作された場合に、前記周辺地図画像の表示の開始を示唆する項目を前記表示装置に表示し、前記地域情報案内手段は、前記項目が前記ユーザによって操作された場合に、前記周辺地図画像を表示することを特徴とする。
上記構成を有する情報案内システムによれば、表示されたシンボルを操作し、且つその後に表示された項目を操作することによって、操作されたシンボルと関連する施設の周辺地図画像を表示装置に表示することが可能となる。
【００８０】
また、第１２の構成は以下のとおりである。
前記地域情報案内手段は、操作された前記シンボルに関するアプリケーションソフトウェアを起動させることによって、前記表示対象地域に関する情報を案内することを特徴とする。
上記構成を有する情報案内システムによれば、表示されたシンボルを操作することによって、操作されたシンボルに関するアプリケーションソフトウェアを起動することが可能となる。従って、シンボルに関連するユーザの希望するアクションを容易な操作によって実現することが可能となる。
【００８１】
また、第１３の構成は以下のとおりである。
前記シンボル表示手段により表示された前記シンボルの画像がユーザによって操作された場合に、前記アプリケーションソフトウェアの起動の開始を示唆する項目を前記表示装置に表示し、前記地域情報案内手段は、前記項目が前記ユーザによって操作された場合に、前記アプリケーションソフトウェアを起動させることを特徴とする。
上記構成を有する情報案内システムによれば、表示されたシンボルを操作し、且つその後に表示された項目を操作することによって、操作されたシンボルに関するアプリケーションソフトウェアを起動することが可能となる。
【００８２】
また、第１４の構成は以下のとおりである。
目的地までの経路を探索する経路探索手段を有し、前記地域情報案内手段は、操作された前記シンボルと関連する施設を前記経路探索手段における目的地に設定することによって、前記表示対象地域に関する情報を案内することを特徴とする。
上記構成を有する情報案内システムによれば、表示されたシンボルを操作することによって、操作されたシンボルに関連する施設を経路探索機能における目的地に設定することが可能となる。従って、シンボルに関連するユーザの希望するアクションを容易な操作によって実現することが可能となる。
【００８３】
また、第１５の構成は以下のとおりである。
前記シンボル表示手段により表示された前記シンボルの画像がユーザによって操作された場合に、前記目的地の設定を示唆する項目を前記表示装置に表示し、前記地域情報案内手段は、前記項目が前記ユーザによって操作された場合に、前記目的地の設定を行うことを特徴とする。
上記構成を有する情報案内システムによれば、表示されたシンボルを操作し、且つその後に表示された項目を操作することによって、操作されたシンボルに関連する施設を経路探索機能における目的地に設定することが可能となる。
【００８４】
また、第１６の構成は以下のとおりである。
前記表示装置に表示された地図画像に少なくとも一部が含まれる地域を前記表示対象地域とすることを特徴とする。
上記構成を有する情報案内システムによれば、表示装置に地図画像が表示されている地域に関連付けられたシンボルを適切に選択して表示装置に表示することが可能となる。
【００８５】
また、第１７の構成は以下のとおりである。
前記表示装置に表示された地図画像の中心地点を含む地域を前記表示対象地域とすることを特徴とする。
上記構成を有する情報案内システムによれば、表示装置に複数の地域の地図画像が跨って表示されている場合であっても、表示されている地域に関連付けられたシンボルを適切に選択して表示装置に表示することが可能となる。
【００８６】
また、第１８の構成は以下のとおりである。
前記シンボルは、地域振興の為に用いられるマスコットキャラクタであって、前記シンボルが関連付けられた地域は該マスコットキャラクタによって地域振興が行われている地域であることを特徴とする。
上記構成を有する情報案内システムによれば、表示装置に地図画像が表示される地域に地域振興に用いられるマスコットキャラクタが存在する場合に、該マスコットキャラクタが地図画像とともに表示され、且つ表示されたマスコットキャラクタが操作された場合に、操作されたマスコットキャラクタと関連付けられた地域の情報を案内するので、ユーザが興味を持ったマスコットキャラクタと関連する地域に関する情報のみを適切に抽出して案内することが可能となる。一方、ユーザが表示されたマスコットキャラクタに興味が無い場合には、表示されたマスコットキャラクタを操作しなければマスコットキャラクタと関連する地域に関する情報は案内されないので、ユーザにとって必要のない情報が提供されることを防止できる。また、表示されたマスコットキャラクタの画像を操作するという容易な操作でユーザの希望する情報を案内することができるので、ユーザに検索条件を入力させる等の複雑な作業を行わせる必要がなく、操作性についても向上させることが可能となる。
【符号の説明】
【００８７】
１              情報案内システム
２              情報管理センタ
３              情報サーバ
４              ユーザ
５              通信端末
７              シンボル情報ＤＢ
８              地域情報ＤＢ
１１            ＣＰＵ
１２            メモリ
２１            通信端末ＥＣＵ
３２            地図画像
４２、４３      シンボルの画像
【図１】
2015228205.tif 000003
【図２】
2015228205.tif 000004
【図３】
2015228205.tif 000005
【図４】
2015228205.tif 000006
【図５】
2015228205.tif 000007
【図６】
2015228205.tif 000008
【図７】
2015228205.tif 000009
【図８】
2015228205.tif 000010
【図９】
2015228205.tif 000011
【図１０】
2015228205.tif 000012
【図１１】
2015228205.tif 000013
【図１２】
2015228205.tif 000014
【図１３】
2015228205.tif 000015